(57)【要約】【課題】第１の再生モード又は第２の再生モードに、自動的に適切に切り替えることができる再生装置を提供する。【解決手段】第１の音声データを再生する第１の再生モード又は第１の音声データに第２の音声データを混合させて再生する第２の再生モードを実行する再生部１０２と、音声出力装置２０の音声再生能力を検出する検出部１８２と、第１の再生モード又は第２の再生モードを選択する処理部１８１と、処理部１８１により現在選択されている再生モードを記憶する記憶部１０７と、を備える。処理部１８１は、記憶部１０７に記憶された再生モードが第２の再生モードでない場合には、検出された音声再生能力に基づいて、第１の再生モード又は第２の再生モードを選択する。【選択図】図２
2014078303.tif 000002
【特許請求の範囲】
【請求項１】
音声出力装置と接続される再生装置であって、
第１の音声データを再生する第１の再生モード又は前記第１の音声データに第２の音声データを混合させて再生する第２の再生モードを実行する再生部と、
前記音声出力装置の音声再生能力を検出する検出部と、
前記第１の再生モード又は前記第２の再生モードを選択する処理部と、
前記処理部により現在選択されている再生モードを記憶する記憶部と、を備え、
前記処理部は、前記記憶部に記憶された前記再生モードが前記第２の再生モードでない場合には、前記検出部により検出された前記音声再生能力に基づいて、前記第１の再生モード又は前記第２の再生モードを選択する
再生装置。
【請求項２】
前記再生部は、前記第１の再生モードにおいて高音質で前記第１の音声データを再生可能であり、
前記処理部は、前記記憶部に記憶された前記再生モードが前記第２の再生モードでなく、前記検出部により検出された前記音声再生能力が高音質に対応していない場合には、前記第２の再生モードを選択する
請求項１に記載の再生装置。
【請求項３】
前記処理部は、さらに、
コンテンツに関連付けられたジャンル情報と、ユーザにより設定されたジャンルとが一致している場合には、前記第１の再生モードを選択し、
前記コンテンツに関連付けられた前記ジャンル情報と、前記ユーザにより設定された前記ジャンルとが一致していない場合には、前記第２の再生モードを選択する
請求項１又は２に記載の再生装置。
【請求項４】
前記再生部は、さらに、映像データを再生可能であり、
前記処理部は、前記第２の音声データが存在するコンテンツのシーンが再生される際に、前記記憶部に記憶された前記再生モードが前記第１の再生モードである場合には、前記第２の再生モードに切り替えることを促すメッセージを再生するように前記再生部に指示する
請求項１〜３のいずれか１項に記載の再生装置。
【請求項５】
前記再生部は、さらに、映像データを再生可能であり、
前記検出部は、前記第２の音声データが存在するコンテンツのシーンが再生される際に、前記記憶部に記憶された前記再生モードが前記第２の再生モードである場合には、前記音声出力装置の前記音声再生能力を検出し、
前記処理部は、前記検出部により検出された前記音声再生能力が高音質に対応している場合には、前記第１の再生モードに切り替えることを促すメッセージを再生するように前記再生部に指示する
請求項１〜３のいずれか１項に記載の再生装置。
【発明の詳細な説明】
【技術分野】
【０００１】
本発明は、コンテンツが記録された記録媒体を再生する再生装置に関する。
【背景技術】
【０００２】
近年、ブルーレイディスク（ＢＤ：Ｂｌｕ−ｒａｙ  Ｄｉｓｃ（登録商標））等の記録媒体を再生する再生装置が一般に普及している（例えば、特許文献１参照）。ブルーレイディスクの規格として、複数のオーディオストリーム（複数の音声データを構成する）、具体的には、プライマリオーディオストリーム、セカンダリオーディオストリーム及びインタラクティブオーディオストリームがブルーレイディスクに記録されている。プライマリオーディオストリームは、主映像の音声等のプライマリオーディオが記録されたサウンドデータである。セカンダリオーディオストリームは、ピクチャインピクチャ（ＰｉｎＰ）における副映像の音声等のセカンダリオーディオが記録されたサウンドデータである。インタラクティブオーディオストリームは、ポップアップメニューの効果音等のインタラクティブオーディオが記録されたサウンドデータである。
【０００３】
このような再生装置では、ユーザがリモコン等を操作することにより、オーディオ出力モードを第１のオーディオ出力モード及び第２のオーディオ出力モードのいずれかに切り替えることができる。第１のオーディオ出力モードでは、プライマリオーディオが高音質で出力されるが、セカンダリオーディオ及びインタラクティブオーディオは出力されない。第２のオーディオ出力モードでは、プライマリオーディオ、セカンダリオーディオ及びインタラクティブオーディオがミキシングされて出力されるが、プライマリオーディオの音質がやや低下する傾向にある。
【先行技術文献】
【特許文献】
【０００４】
【特許文献１】特開２００８−５２８８７号公報
【発明の概要】
【発明が解決しようとする課題】
【０００５】
しかしながら、上述した従来の再生装置では、次のような問題がある。ユーザは、上述したブルーレイディスクの規格を知らない場合には、オーディオ出力モードの切り替えを適切に行わないおそれがある。そのため、例えばオーディオ出力モードのデフォルト設定が第１のオーディオ出力モードである場合には、ピクチャインピクチャにおける副映像が表示されているにも拘らず、セカンダリオーディオが出力されないという問題が生じる。
【０００６】
或いは、例えば再生装置に接続されているＡＶ（Ａｕｄｉｏ  Ｖｉｓｕａｌ）機器が高音質のＨＢＲオーディオ（Ｈｉｇｈ−Ｂｉｔｓ  Ｒａｔｅ  Ａｕｄｉｏ）に対応している際に、オーディオ出力モードのデフォルト設定が第２のオーディオ出力モードである場合には、プライマリオーディオが最良の音質で出力されないという問題が生じる。
【０００７】
本発明は、上述した従来の課題を解決しようとするものであり、その目的は、第１の再生モード又は第２の再生モードに、自動的に適切に切り替えることができる再生装置を提供することである。
【課題を解決するための手段】
【０００８】
上記目的を達成するために、本発明の一態様に係る再生装置は、音声出力装置と接続される再生装置であって、第１の音声データを再生する第１の再生モード又は前記第１の音声データに第２の音声データを混合させて再生する第２の再生モードを実行する再生部と、前記音声出力装置の音声再生能力を検出する検出部と、前記第１の再生モード又は前記第２の再生モードを選択する処理部と、前記処理部により現在選択されている再生モードを記憶する記憶部と、を備え、前記処理部は、前記記憶部に記憶された前記再生モードが前記第２の再生モードでない場合には、前記検出部により検出された前記音声再生能力に基づいて、前記第１の再生モード又は前記第２の再生モードを選択する。
【０００９】
本態様によれば、第１の再生モード又は第２の再生モードに、自動的に適切に切り替えることができる。
【００１０】
例えば、本発明の一態様に係る再生装置において、前記再生部は、前記第１の再生モードにおいて高音質で前記第１の音声データを再生可能であり、前記処理部は、前記記憶部に記憶された前記再生モードが前記第２の再生モードでなく、前記検出部により検出された前記音声再生能力が高音質に対応していない場合には、前記第２の再生モードを選択するように構成してもよい。
【００１１】
本態様によれば、検出された音声再生能力が高音質に対応していない場合には、第２の再生モードを選択することにより、第１の音声データ及び第２の音声データを混合して再生することができる。
【００１２】
例えば、本発明の一態様に係る再生装置において、前記処理部は、さらに、コンテンツに関連付けられたジャンル情報と、ユーザにより設定されたジャンルとが一致している場合には、前記第１の再生モードを選択し、前記コンテンツに関連付けられた前記ジャンル情報と、前記ユーザにより設定された前記ジャンルとが一致していない場合には、前記第２の再生モードを選択するように構成してもよい。
【００１３】
本態様によれば、お気に入りのジャンルのコンテンツが再生される場合には、ユーザは、最良の音質でコンテンツを楽しむことができる。また、お気に入りでないジャンルのコンテンツが再生される場合には、ユーザは、第１の音声データ及び第２の音声データを混合させることによりコンテンツを楽しむことができる。
【００１４】
例えば、本発明の一態様に係る再生装置において、前記再生部は、さらに、映像データを再生可能であり、前記処理部は、前記第２の音声データが存在するコンテンツのシーンが再生される際に、前記記憶部に記憶された前記再生モードが前記第１の再生モードである場合には、前記第２の再生モードに切り替えることを促すメッセージを再生するように前記再生部に指示するように構成してもよい。
【００１５】
本態様によれば、第２の音声データが存在するコンテンツのシーンが再生される際に、ユーザに第２の再生モードへの切り替えを促すことができる。
【００１６】
例えば、本発明の一態様に係る再生装置において、前記再生部は、さらに、映像データを再生可能であり、前記検出部は、前記第２の音声データが存在するコンテンツのシーンが再生される際に、前記記憶部に記憶された前記再生モードが前記第２の再生モードである場合には、前記音声出力装置の前記音声再生能力を検出し、前記処理部は、前記検出部により検出された前記音声再生能力が高音質に対応している場合には、前記第１の再生モードに切り替えることを促すメッセージを再生するように前記再生部に指示するように構成してもよい。
【００１７】
本態様によれば、第２の音声データが存在するコンテンツのシーンが再生される際に、ユーザに第１の再生モードへの切り替えを促すことができる。
【００１８】
なお、本発明は、このような特徴的な制御部を備える再生装置として実現することができるだけでなく、再生装置に含まれる特徴的な制御部が実行する処理をステップとする再生方法として実現することができる。また、本発明は、再生装置に含まれる特徴的な制御部としてコンピュータを機能させるためのプログラム又は再生方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体及びインターネット等の通信ネットワークを介して流通させることができるのは、言うまでもない。
【発明の効果】
【００１９】
本発明によれば、第１の再生モード又は第２の再生モードに、自動的に適切に切り替えることができる。
【図面の簡単な説明】
【００２０】
【図１】本発明の実施の形態に係る再生装置の使用形態を示す図である。
【図２】本発明の実施の形態に係る再生装置の機能的構成を示すブロック図である。
【図３】お気に入りジャンル設定画面を示す図である。
【図４】制御部の機能的構成を示すブロック図である。
【図５】光ディスクのロード完了時における、再生装置の動作の流れを示すフローチャートである。
【図６】光ディスクのロード完了時において、メニュー画面に対してメッセージボックスがＯＳＤ表示された状態を示す図である。
【図７】タイトルの再生開始時における、再生装置の動作の流れを示すフローチャートである。
【図８】タイトルの再生中における、再生装置の動作の流れを示すフローチャートである。
【図９】タイトルの再生中において、主映像に対してメッセージボックスがＯＳＤ表示された状態を示す図である。
【図１０】タイトルの再生中において、主映像に対してメッセージボックスがＯＳＤ表示された状態を示す図である。
【発明を実施するための形態】
【００２１】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２２】
（実施の形態）
［再生装置等の構成］
図１は、本発明の実施の形態に係る再生装置１０の使用形態を示す図である。図２は、本発明の実施の形態に係る再生装置１０の機能的構成を示すブロック図である。
【００２３】
図１に示すように、再生装置１０は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル３０を介して音声出力装置２０に接続されている。再生装置１０は、本実施の形態では、光ディスク４０を再生するためのブルーレイディスクプレーヤである。なお、ユーザがリモコン５０を操作することにより、再生装置１０において、上記操作に応じた動作（例えば、電源のオン／オフ等）が行われる。
【００２４】
光ディスク４０は、本実施の形態では、ブルーレイディスクである。この光ディスク４０には、例えば、メニュー画面を含むメニュー用コンテンツと、映画の本編映像等を含む本編用コンテンツとが記録されている。本編用コンテンツには、複数のオーディオストリーム（複数の音声データを構成する）及び映像ストリーム（映像データを構成する）が含まれている。複数のオーディオストリームは、具体的には、プライマリオーディオストリーム（第１の音声データを構成する）、セカンダリオーディオストリーム（第２の音声データを構成する）及びインタラクティブオーディオストリーム（第２の音声データを構成する）である。プライマリオーディオストリームに記録されたプライマリオーディオは、主映像の音声、例えば、映画の本編映像の音声等である。セカンダリオーディオストリームに記録されたセカンダリオーディオは、ピクチャインピクチャにおける副映像の音声、例えば、映画監督のインタビューコメントの音声等である。インタラクティブオーディオストリームに記録されたインタラクティブオーディオは、例えば、ポップアップメニューの効果音等である。
【００２５】
なお、本編用コンテンツには複数のタイトル（例えば、プロローグ映像、本編映像、エピローグ映像及び特典映像等）が含まれている。光ディスク４０には、複数のタイトルの各々に関連付けられたジャンル情報がヘッダ情報として記録されている。ジャンル情報とは、複数のタイトルの各々の属性を示す情報であり、例えば、シネマ、コンサート及びスポーツ等を示す情報である。
【００２６】
音声出力装置２０は、本実施の形態では、ＨＤＭＩ規格に対応したディジタルテレビジョン受像機である。図１及び図２に示すように、音声出力装置２０は、モニタ２０１、スピーカ２０２及びＨＤＭＩ通信部２０３を備えている。モニタ２０１は、例えば液晶ディスプレイであり、入力された映像信号に基づく映像を表示する。スピーカ２０２は、入力された音声信号に基づく音声を出力する。ＨＤＭＩ通信部２０３は、再生装置１０のＨＤＭＩ通信部１０５（後述する）との間で、音声信号及び映像信号等を送受信する。
【００２７】
図２に示すように、再生装置１０は、ピックアップヘッド部１０１、再生部１０２、音声出力部１０３、映像出力部１０４、ＨＤＭＩ通信部１０５、リモコン受光部１０６（受付部を構成する）、記憶部１０７及び制御部１０８を備えている。
【００２８】
ピックアップヘッド部１０１は、光ディスク４０に対してレーザ光を照射し、光ディスク４０からの反射光を検出する。これにより、ピックアップヘッド部１０１は、光ディスク４０に記録されている複数のオーディオストリーム及び映像ストリームを光学的に読み出す。なお、第１のオーディオ出力モード（後述する）に設定されている場合には、ピックアップヘッド部１０１は、光ディスク４０に記録されている複数のオーディオストリームのうち、プライマリオーディオストリームを光学的に読み出す。また、第２のオーディオ出力モード（後述する）に設定されている場合には、ピックアップヘッド部１０１は、光ディスク４０に記録されている複数のオーディオストリームのうち、プライマリオーディオストリーム、セカンダリオーディオストリーム及びインタラクティブオーディオストリームをそれぞれ光学的に読み出す。
【００２９】
再生部１０２は、第１の再生部１０２ａ、第２の再生部１０２ｂ及び第３の再生部１０３ｃを有している。
【００３０】
第１の再生部１０２ａは、ピックアップヘッド部１０１により読み出されたプライマリオーディオストリームをデコードすることにより、プライマリオーディオストリームを再生する。第１の再生部１０２ａは、再生したプライマリオーディオストリームを音声出力部１０３に出力する。
【００３１】
第２の再生部１０２ｂは、ピックアップヘッド部１０１により読み出されたプライマリオーディオストリーム、セカンダリオーディオストリーム及びインタラクティブオーディオストリームをそれぞれデコードすることにより、プライマリオーディオストリーム、セカンダリオーディオストリーム及びインタラクティブオーディオストリームをミキシング（混合）させて再生する。第２の再生部１０２ｂは、再生したプライマリオーディオストリーム、セカンダリオーディオストリーム及びインタラクティブオーディオストリームをそれぞれ音声出力部１０３に出力する。
【００３２】
第３の再生部１０２ｃは、ピックアップヘッド部１０１により読み出された映像ストリームをデコードすることにより、映像ストリームを再生する。第３の再生部１０２ｃは、再生した映像ストリームを映像出力部１０４に出力する。
【００３３】
なお、再生部１０２は、制御部１０８からの指示に基づいて、オーディオ出力モード（再生モードを構成する）として第１のオーディオ出力モード（第１の再生モードを構成する；ＨＤ  Ａｕｄｉｏ出力）又は第２のオーディオ出力モード（第２の再生モードを構成する；Ｍｉｘｉｎｇ出力）を実行可能である。第１のオーディオ出力モードとは、第１の再生部１０２ａにより再生されるオーディオ出力モードである。第２のオーディオ出力モードとは、第２の再生部１０２ｂにより再生されるオーディオ出力モードである。
【００３４】
なお、第１のオーディオ出力モードで再生されるプライマリオーディオの音質は、第２のオーディオ出力モードで再生されるプライマリオーディオの音質よりも高い。すなわち、第１のオーディオ出力モードでは、プライマリオーディオが高音質で再生される。
【００３５】
音声出力部１０３は、再生されたオーディオストリームを、音声信号として音声出力装置２０に出力する。
【００３６】
映像出力部１０４は、再生された映像ストリームを、映像信号として音声出力装置２０に出力する。
【００３７】
ＨＤＭＩ通信部１０５は、音声出力装置２０のＨＤＭＩ通信部２０３との間で、音声信号及び映像信号等を送受信する。例えば、ＨＤＭＩ通信部１０５は、音声出力部１０３からの音声信号及び映像出力部１０４からの映像信号をそれぞれ、ＨＤＭＩケーブル３０を介して音声出力装置２０に送信する。なお、ＨＤＭＩ通信部１０５による音声信号及び映像信号の送信は、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）方式で行われる。
【００３８】
リモコン受光部１０６は、リモコン５０からのリモコン信号を受信し、このリモコン信号をリモコンコードに変換して制御部１０８に出力する。例えば、ユーザがリモコン５０を操作することにより、第１のオーディオ出力モード及び第２のオーディオ出力モードのいずれかにオーディオ出力モードを設定することができる。すなわち、リモコン受光部１０６は、第１のオーディオ出力モード及び第２のオーディオ出力モードのいずれかを選択する操作を受け付ける。
【００３９】
記憶部１０７は、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）である。記憶部１０７には、各種データ及び制御プログラム等が記憶されている。記憶部１０７には、例えば、現在のオーディオ出力モードが第１のオーディオ出力モード及び第２のオーディオ出力モードのいずれであるか、すなわち、処理部１８１（後述する）により現在選択されている再生モードとして第１の再生モード及び第２の再生モードのいずれかを示すデータが記憶されている。また、記憶部１０７には、例えば、ユーザにより設定されたジャンルデータが記憶されている。ジャンルデータとは、ユーザのお気に入りのジャンルに関するデータであり、例えば、シネマ、コンサート及びスポーツ等を示すデータである。
【００４０】
なお、ジャンルデータの設定は、例えば次のようにして行われる。図３は、お気に入りジャンル設定画面を示す図である。図３に示すように、ユーザは、リモコン５０を操作することにより、お気に入りジャンル設定画面を音声出力装置２０のモニタ２０１に表示させる。このお気に入りジャンル設定画面には、複数のジャンル（例えば、シネマ、コンサート及びスポーツ等）の一覧が表示されている。例えば、ユーザがお気に入りのジャンルとしてシネマを選択しようとする場合には、リモコン５０の方向キーを操作することによりシネマの欄にカーソルを合わせ、リモコン５０の決定キーを押す。これにより、ジャンルデータとして「シネマ」が設定され、この設定されたジャンルデータが記憶部１０７に記憶される。なお、お気に入りジャンル設定画面で複数のジャンルを選択することにより、複数のジャンルデータを設定することもできる。
【００４１】
制御部１０８は、例えば、マイクロコンピュータで構成されている。図４は、制御部１０８の機能的構成を示すブロック図である。図４に示すように、制御部１０８は、処理部１８１、検出部１８２及び判定部１８３を有している。
【００４２】
処理部１８１は、ピックアップヘッド部１０１、再生部１０２、音声出力部１０３及び映像出力部１０４をそれぞれ制御する。処理部１８１は、例えばリモコン受光部１０６からのリモコンコードに基づいて、第１のオーディオ出力モード及び第２のオーディオ出力モードのいずれかで再生するように、再生部１０２に指示する。すなわち、処理部１８１は、第１の再生モード又は第２の再生モードを選択し、選択した第１の再生モード又は第２の再生モードで再生するように再生部１０２に指示する。また、例えば、処理部１８１は、再生部１０２によりデコードされた映像ストリームに対して、ＯＳＤ（Ｏｎ  Ｓｃｒｅｅｎ  Ｄｉｓｐｌａｙ）表示するための画像データを重畳させる。なお、処理部１８１による制御は、例えば、リモコン受光部１０６からリモコンコードが出力されたことをトリガーとして、記憶部１０７に記憶された制御プログラムに基づいて実行される。以下では、処理部１８１の有する複数の機能のうち、本発明に関する機能についてのみ説明する。
【００４３】
検出部１８２は、音声出力装置２０の音声再生能力を検出する。具体的には、検出部１８２は、音声出力装置２０が高音質のＨＢＲオーディオに対応しているか否かを検出する。検出部１８２は、音声出力装置２０との間で、ＨＤＭＩケーブル３０を介してＥＤＩＤ（Ｅｘｔｅｎｄｅｄ  Ｄｉｓｐｌａｙ  Ｉｄｅｎｔｉｆｉｃａｔｉｏｎ  Ｄａｔａ）の通信を行う。これにより、検出部１８２は、音声出力装置２０から送信されるＥＤＩＤをＨＤＭＩケーブル３０を介して受信する。なお、ＥＤＩＤとは、音声出力装置２０が高音質のＨＢＲオーディオに対応しているか否か（すなわち、音声出力装置２０の音声再生能力が高音質に対応しているか否か）を示す情報である。後述するように、処理部１８１は、検出部１８２により検出された結果に基づいて、再生部１０２に対して再生の指示を行う。
【００４４】
判定部１８３は、本編用コンテンツに含まれるタイトルが再生される際に、当該タイトルに関連付けられたジャンル情報と、ユーザにより設定されたジャンルデータとが一致しているか否かを判定する。後述するように、処理部１８１は、判定部１８３による判定の結果に基づいて、再生部１０２に対して再生の指示を行う。
【００４５】
［再生装置の動作］
以下、再生装置１０による各種動作のうち、本発明に関する動作１〜３について説明する。
【００４６】
＜動作１＞
図５は、光ディスク４０のロード完了時における、再生装置１０の動作の流れを示すフローチャートである。図６は、光ディスク４０のロード完了時において、メニュー画面２１１に対してメッセージボックス２１２がＯＳＤ表示された状態を示す図である。
【００４７】
まず、ユーザが再生装置１０の電源をオンにすることにより、図６に示すように、処理部１８１は、音声出力装置２０のモニタ２０１にメニュー画面２１１を表示させる。このメニュー画面２１１には複数のアイコンが表示されており、複数のアイコンの各々は、例えば、コンテンツの再生開始を実行するためのアイコン及び環境設定を実行するためアイコン等である。ユーザが光ディスク４０を再生装置１０のディスクトレイにセットすることにより、光ディスク４０のロードが実行される（Ｓ１０１）。
【００４８】
光ディスク４０のロード完了時において、処理部１８１は、記憶部１０７を参照することにより、現在のオーディオ出力モードが第１のオーディオ出力モード及び第２のオーディオ出力モードのいずれであるかを検出する。すなわち、処理部１８１は、記憶部１０７に記憶されている再生モードが第１の再生モード及び第２の再生モードのいずれであるかを検出する。なお、光ディスク４０のロード完了時とは、光ディスク４０のロードの実行が完了してから、光ディスク４０に記録されたコンテンツの再生が開始されるまでの状態をいう。
【００４９】
光ディスク４０のロード完了時において現在のオーディオ出力モードが第２のオーディオ出力モードである場合には（Ｓ１０２でＹＥＳ）、処理部１８１は、第２のオーディオ出力モードに保持して再生するように再生部１０２に指示する（Ｓ１０３）。すなわち、処理部１８１は、第２の再生モードを選択する。これにより、第２の再生部１０２ｂは、プライマリオーディオストリーム、セカンダリオーディオストリーム及びインタラクティブオーディオストリームをそれぞれデコードし、デコードした各オーディオストリームをミキシングすることにより再生を開始する（Ｓ１０４）。
【００５０】
光ディスク４０のロード完了時において現在のオーディオ出力モードが第１のオーディオ出力モードである場合には（Ｓ１０２でＮＯ）、検出部１８２は、音声出力装置２０がＨＢＲオーディオに対応しているか否かを検出する（Ｓ１０５）。音声出力装置２０がＨＢＲオーディオに対応していない場合には（Ｓ１０５でＮＯ）、処理部１８１は、第２のオーディオ出力モードに変更して再生するように再生部１０２に指示する（Ｓ１０６）。すなわち、処理部１８１は、第２の再生モードを選択する。これにより、第２の再生部１０２ｂは、プライマリオーディオストリーム、セカンダリオーディオストリーム及びインタラクティブオーディオストリームをそれぞれデコードし、デコードした各オーディオストリームをミキシングすることにより再生を開始する（Ｓ１０４）。
【００５１】
一方、音声出力装置２０がＨＢＲオーディオに対応している場合には（Ｓ１０５でＹＥＳ）、処理部１８１は、図６に示すように、メニュー画面２１１に対してメッセージボックス２１２をＯＳＤ表示させる（Ｓ１０７）。このメッセージボックス２１２には、セカンダリオーディオ及びインタラクティブオーディオが出力されないことを警告するメッセージ（警告文）が表示されている。このメッセージボックス２１２には、さらに、オーディオ出力モード（図６では「Ａｕｄｉｏ設定」と表示）を変更するか否かをユーザに問い合わせるメッセージが表示されている。ユーザがリモコン５０の方向キーを操作してカーソル２１２ａを左右に移動させ、リモコン５０の決定キーを押すことにより、オーディオ出力モードを変更するか否かを選択することができる。
【００５２】
ユーザがオーディオ出力モードを変更する操作を行った場合には（Ｓ１０８でＹＥＳ）、処理部１８１は、第２のオーディオ出力モードに変更して再生するように再生部１０２に指示する（Ｓ１０６）。すなわち、処理部１８１は、第２の再生モードを選択する。これにより、第２の再生部１０２ｂは、プライマリオーディオストリーム、セカンダリオーディオストリーム及びインタラクティブオーディオストリームをそれぞれデコードし、デコードした各オーディオストリームをミキシングすることにより再生を開始する（Ｓ１０４）。
【００５３】
ユーザがオーディオ出力モードを変更しない操作を行った場合には（Ｓ１０８でＮＯ）、処理部１８１は、第１のオーディオ出力モードに保持して再生するように再生部１０２に指示する（Ｓ１０９）。すなわち、処理部１８１は、第１の再生モードを選択する。これにより、第１の再生部１０２ａは、プライマリオーディオストリームをデコードすることにより再生を開始する（Ｓ１０４）。
【００５４】
以上のように、動作１では、光ディスク４０のロード完了時に記憶部１０７に記憶されたオーディオ出力モードが第２のオーディオ出力モードである場合には、処理部１８１は、第２のオーディオ出力モードに保持して再生するように再生部１０２に指示する。これにより、セカンダリオーディオ及びインタラクティブオーディオが存在するコンテンツが再生される際に、セカンダリオーディオ及びインタラクティブオーディオを出力することができる。また、光ディスク４０のロード完了時に記憶部１０７に記憶されたオーディオ出力モードが第１のオーディオ出力モードである場合には、処理部１８１は、音声出力装置２０の音声再生能力に基づいて、第１のオーディオ出力モード及び第２のオーディオ出力モードのいずれかで再生するように再生部１０２に指示する。これにより、音声出力装置２０が高音質のＨＢＲオーディオに対応している場合に、プライマリオーディオを最良の音質で再生することができる。
【００５５】
なお、ステップＳ１０７，Ｓ１０８をそれぞれ省略することもできる。すなわち、ステップＳ１０５において、音声出力装置２０がＨＢＲオーディオに対応している場合には（Ｓ１０５でＹＥＳ）、処理部１８１は、第１の再生モードを選択することにより、第１のオーディオ出力モードに保持して再生するように再生部１０２に指示してもよい（Ｓ１０９）。
【００５６】
＜動作２＞
図７は、タイトルの再生開始時における、再生装置１０の動作の流れを示すフローチャートである。例えば、コンテンツのタイトルが切り替わることにより、次のタイトルの再生が開始される（Ｓ２０１）。タイトルの再生開始時に、検出部１８２は、音声出力装置２０がＨＢＲオーディオに対応しているか否かを検出する（Ｓ２０２）。音声出力装置２０がＨＢＲオーディオに対応していない場合には（Ｓ２０２でＮＯ）、処理部１８１は、検出部１８２の検出結果に基づき、第２のオーディオ出力モードで再生するように再生部１０２に指示する（Ｓ２０３）。すなわち、処理部１８１は、第２の再生モードを選択する。
【００５７】
音声出力装置２０がＨＢＲオーディオに対応している場合には（Ｓ２０２でＹＥＳ）、判定部１８３は、ピックアップヘッド部１０１からの信号に基づいて、当該タイトルに関連付けられたジャンル情報が光ディスク４０に記録されているか否かを検出する（Ｓ２０４）。ジャンル情報が光ディスク４０に記録されていない場合には（Ｓ２０４でＮＯ）、処理部１８１は、判定部１８３の検出結果に基づき、第２のオーディオ出力モードで再生するように再生部１０２に指示する（Ｓ２０３）。すなわち、処理部１８１は、第２の再生モードを選択する。
【００５８】
ジャンル情報が光ディスク４０に記録されている場合には（Ｓ２０４でＹＥＳ）、判定部１８３は、記憶部１０７を参照することにより、ユーザのお気に入りのジャンルがジャンルデータとして設定されているか否かを検出する（Ｓ２０５）。ユーザのお気に入りのジャンルが設定されていない場合には（Ｓ２０５でＮＯ）、処理部１８１は、判定部１８３の検出結果に基づき、第２のオーディオ出力モードで再生するように再生部１０２に指示する（Ｓ２０３）。すなわち、処理部１８１は、第２の再生モードを選択する。
【００５９】
ユーザのお気に入りのジャンルが設定されている場合には（Ｓ２０５でＹＥＳ）、判定部１８３は、当該タイトルに関連付けられたジャンル情報と、ユーザにより設定されたジャンルデータとが一致しているか否かを判定する（Ｓ２０６）。ジャンル情報とジャンルデータとが一致していない場合（例えば、ジャンル情報が「スポーツ」であり、ジャンルデータが「シネマ」である場合）には（Ｓ２０６でＮＯ）、処理部１８１は、判定部１８３の判定結果に基づき、第２のオーディオ出力モードで再生するように再生部１０２に指示する（Ｓ２０３）。すなわち、処理部１８１は、第２の再生モードを選択する。
【００６０】
ジャンル情報とジャンルデータとが一致している場合（例えば、ジャンル情報及びジャンルデータがともに「シネマ」である場合）には（Ｓ２０６でＹＥＳ）、処理部１８１は、判定部１８３の判定結果に基づき、第１のオーディオ出力モードで再生するように再生部１０２に指示する（Ｓ２０７）。すなわち、処理部１８１は、第１の再生モードを選択する。
【００６１】
以上のように、動作２では、ユーザのお気に入りのジャンルと一致するジャンルのタイトルが再生される際に、プライマリオーディオを最良の音質で再生することができる。これにより、ユーザは、お気に入りのジャンルのタイトルを最良の音質で楽しむことができる。
【００６２】
＜動作３＞
図８は、タイトルの再生中における、再生装置１０の動作の流れを示すフローチャートである。図９は、タイトルの再生中において、主映像２１３に対してメッセージボックス２１５がＯＳＤ表示された状態を示す図である。図１０は、タイトルの再生中において、主映像２１３に対してメッセージボックス２１６がＯＳＤ表示された状態を示す図である。
【００６３】
コンテンツのタイトルの再生が開始され（Ｓ３０１）、プライマリオーディオ、セカンダリオーディオ及びインタラクティブオーディオが存在するタイトルのシーンが再生される（Ｓ３０２）。このとき、図９及び図１０に示すように、音声出力装置２０のモニタ２０１には、主映像２１３と、ピクチャインピクチャにおける副映像２１４とが表示されている。なお、コンテンツのタイトルには、例えば、プライマリオーディオのみが存在するシーンと、プライマリオーディオ、セカンダリオーディオ及びインタラクティブオーディオが存在するシーンとが含まれている。
【００６４】
処理部１８１は、ピックアップヘッド部１０１からの信号（例えば、タイトル毎に光ディスク４０に記録されたヘッダ情報）に基づいて、プライマリオーディオ、セカンダリオーディオ及びインタラクティブオーディオが存在するタイトルのシーンの再生が開始されたことを検出する。処理部１８１は、このようにシーンの再生開始を検出した際に、記憶部１０７を参照することにより、現在のオーディオ出力モードが第１のオーディオ出力モード及び第２のオーディオ出力モードのいずれであるかを検出する（Ｓ３０３）。
【００６５】
現在のオーディオ出力モードが第１のオーディオ出力モードである場合には（Ｓ３０３でＹＥＳ）、処理部１８１は、第２のオーディオ出力モードに変更することを促す（すなわち、第２の再生モードに切り替えることを促す）メッセージを含む画像データを、映像ストリームに重畳させて再生するように再生部１０２に指示する。これにより、図９に示すように、上記メッセージ（図９では、第２のオーディオ出力モードを「Ｍｉｘｉｎｇ」、セカンダリオーディオを「セカンダリ音声」と表示）が表示されたメッセージボックス２１５が主映像２１３に対してＯＳＤ表示される（Ｓ３０４）。このメッセージボックス２１５には、さらに、オーディオ出力モードを変更するか否かをユーザに問い合わせるメッセージが表示されている。動作１で説明したのと同様に、ユーザは、リモコン５０の方向キーを操作してカーソル２１５ａを左右に移動させ、リモコン５０の決定キーを押すことにより、オーディオ出力モードを設定変更するか否かを選択することができる。
【００６６】
一方、現在のオーディオ出力モードが第２のオーディオ出力モードである場合には（Ｓ３０３でＮＯ）、検出部１８２は、音声出力装置２０がＨＢＲオーディオに対応しているか否かを検出する（Ｓ３０５）。音声出力装置２０がＨＢＲオーディオに対応している場合には（Ｓ３０５でＹＥＳ）、処理部１８１は、第１のオーディオ出力モードに変更することを促す（すなわち、第１の再生モードに切り替えることを促す）メッセージを含む画像データを、映像ストリームに重畳させて再生するように再生部１０２に指示する。これにより、図１０に示すように、上記メッセージ（図１０では、第１のオーディオ出力モードを「ＨＤ  Ａｕｄｉｏ」と表示）が表示されたメッセージボックス２１６が主映像２１３に対してＯＳＤ表示される（Ｓ３０６）。このメッセージボックス２１６には、上述したメッセージボックス２１５と同様に、オーディオ出力モードを変更するか否かをユーザに問い合わせるメッセージが表示されている。動作１で説明したのと同様に、ユーザは、リモコン５０の方向キーを操作してカーソル２１６ａを左右に移動させ、リモコン５０の決定キーを押すことにより、オーディオ出力モードを変更するか否かを選択することができる。
【００６７】
なお、音声出力装置２０がＨＢＲオーディオに対応していない場合には（Ｓ３０５でＮＯ）、メッセージボックス２１６は主映像２１３に対してＯＳＤ表示されない（Ｓ３０７）。
【００６８】
以上のように、動作３では、セカンダリオーディオ及びインタラクティブオーディオが存在するタイトルのシーンが再生される際に、ユーザにオーディオ出力モードの変更を促すことができる。これにより、ユーザは、セカンダリオーディオ及びインタラクティブオーディオを楽しむことができ、或いは、プライマリオーディオを最良の音質で楽しむことができる。
【００６９】
なお、本実施の形態では、上記動作３のステップＳ３０４及びステップＳ３０６において、メッセージボックス２１５，２１６をＯＳＤ表示したが、このような構成に代えて、例えば次のように構成することもできる。すなわち、セカンダリオーディオ及びインタラクティブオーディオが存在するタイトルのシーンが再生された際に、主映像２１３の所定の箇所（例えば、右下の隅部等）に小さなアイコンを表示させる。ユーザがリモコン５０を操作してこのアイコンを開くことにより、メッセージボックス２１５，２１６がＯＳＤ表示される。
【００７０】
なお、本実施の形態では、セカンダリオーディオ及びインタラクティブオーディオが存在するシーンを含むタイトルを再生する際において、当該シーンの再生中にステップＳ３０３〜ステップＳ３０７を実行したが、当該タイトルの再生開始時に、ステップＳ３０３〜ステップＳ３０７を実行してもよい。
【００７１】
［効果］
以上説明したように、本実施の形態の再生装置１０では、第１の再生モード又は第２の再生モードに、自動的に適切に切り替えることができる。
【００７２】
以上、本発明の実施の形態に係る再生装置について説明したが、本発明は、この実施の形態に限定されるものではない。
【００７３】
上記実施の形態では、再生装置はブルーレイディスクプレーヤであるが、再生装置は、例えば、ブルーレイディスクレコーダ、ブルーレイディスクプレーヤ内蔵型のディジタルテレビジョン受像機、パーソナルコンピュータ及びオーディオプレーヤ等でもよい。なお、再生装置がブルーレイディスクプレーヤ内蔵型のディジタルテレビジョン受像機である場合には、音声出力装置は、当該ディジタルテレビジョン受像機に搭載されたスピーカである。
【００７４】
上記実施の形態では、音声出力装置はディジタルテレビジョン受像機であるが、音声出力装置は、例えばＡＶアンプ等でもよい。
【００７５】
上記実施の形態では、再生装置により再生される記録媒体として光ディスクを用いたが、例えばハードディスク等を用いてもよい。
【００７６】
上記実施の形態では、受付部はリモコン受光部であるが、受付部は、例えば再生装置のフロントパネルに設けられたスイッチ等でもよい。
【００７７】
上記実施の形態では、再生部は、第１の再生部、第２の再生部及び第３の再生部を有するが、これら第１の再生部、第２の再生部及び第３の再生部を１つの再生部として実現することもできる。
【００７８】
また、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【００７９】
さらに、上記の各装置を構成する構成要素の一部又は全部は、１個のシステムＬＳＩ（Ｌａｒｇｅ  Ｓｃａｌｅ  Ｉｎｔｅｇｒａｔｉｏｎ：大規模集積回路）で構成されているとしても良い。システムＬＳＩは、複数の構成部を１個のチップ上に集積して製造された超多機能ＬＳＩであり、具体的には、マイクロプロセッサ、ＲＯＭ、ＲＡＭ等を含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【００８０】
さらにまた、上記の各装置を構成する構成要素の一部又は全部は、各装置に脱着可能なＩＣカード又は単体のモジュールで構成されているとしてもよい。ＩＣカード又はモジュールは、マイクロプロセッサ、ＲＯＭ、ＲＡＭ等で構成されるコンピュータシステムである。ＩＣカード又はモジュールは、上記の超多機能ＬＳＩを含むとしてもよい。マイクロプロセッサが、コンピュータプログラムに従って動作することにより、ＩＣカード又はモジュールは、その機能を達成する。このＩＣカード又はこのモジュールは、耐タンパ性を有するとしてもよい。
【００８１】
また、本発明は、上記に示す方法であるとしてもよい。また、本発明は、これらの方法をコンピュータにより実現するコンピュータプログラムであるとしても良いし、前記コンピュータプログラムからなるデジタル信号であるとしてもよい。
【００８２】
さらに、本発明は、上記コンピュータプログラム又は上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリ等に記録したものとしてもよい。また、これらの非一時的な記録媒体に記録されている上記デジタル信号であるとしてもよい。
【００８３】
また、本発明は、上記コンピュータプログラム又は上記デジタル信号を、電気通信回線、無線又は有線通信回線、インターネットを代表とするネットワーク、データ放送等を経由して伝送するものとしてもよい。
【００８４】
また、本発明は、マイクロプロセッサ及びメモリを備えたコンピュータシステムであって、上記メモリは、上記コンピュータプログラムを記憶しており、上記マイクロプロセッサは、上記コンピュータプログラムに従って動作するとしてもよい。
【００８５】
また、上記プログラム又は上記デジタル信号を上記非一時的な記録媒体に記録して移送することにより、或いは、上記プログラム又は上記デジタル信号を上記ネットワーク等を経由して移送することにより、独立した他のコンピュータシステムにより実施するとしてもよい。
【産業上の利用可能性】
【００８６】
本発明は、コンテンツが記録された記録媒体を再生する再生装置として適用することができる。
【符号の説明】
【００８７】
１０  再生装置
２０  音声出力装置
３０  ＨＤＭＩケーブル
４０  光ディスク
５０  リモコン
１０１  ピックアップヘッド部
１０２  再生部
１０２ａ  第１の再生部
１０２ｂ  第２の再生部
１０２ｃ  第３の再生部
１０３  音声出力部
１０４  映像出力部
１０５，２０３  ＨＤＭＩ通信部
１０６  リモコン受光部
１０７  記憶部
１０８  制御部
２０１  モニタ
２０２  スピーカ
２１１  メニュー画面
２１２，２１５，２１６  メッセージボックス
２１２ａ，２１５ａ，２１６ａ  カーソル
２１３  主映像
２１４  副映像
【図１】
2014078303.tif 000003
【図２】
2014078303.tif 000004
【図３】
2014078303.tif 000005
【図４】
2014078303.tif 000006
【図５】
2014078303.tif 000007
【図６】
2014078303.tif 000008
【図７】
2014078303.tif 000009
【図８】
2014078303.tif 000010
【図９】
2014078303.tif 000011
【図１０】
2014078303.tif 000012